(57)【特許請求の範囲】
【請求項１】
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することとを備える、ワイヤレス通信の方法。
【請求項２】
前記第１の探索空間が共通探索空間（ＣＳＳ）であり、前記第２の探索空間がユーザ機器固有探索空間（ＵＥＳＳ）である、請求項１に記載の方法。
【請求項３】
前記第１の探索空間がユーザ機器固有探索空間（ＵＥＳＳ）であり、前記第２の探索空間が共通探索空間（ＣＳＳ）である、請求項１に記載の方法。
【請求項４】
前記第２の開始インデックスにおいて前記第２の探索空間中で前記第２の制御メッセージを送信することをさらに備える、請求項１に記載の方法。
【請求項５】
前記情報フィールドは、非周期チャネル状態情報（ＣＳＩ）トリガリングフィールド、非周期サウンディング基準信号（ＳＲＳ）トリガリングフィールド、またはマルチクラスタ割当てフラグフィールドを備える、請求項１に記載の方法。
【請求項６】
第１の探索空間中で第１の制御メッセージを送信するための第１の開始インデックスを決定するための手段と、
第２の探索空間中で第２の制御メッセージを送信するための第２の開始インデックスを決定するための手段と、
前記第１の開始インデックスと前記第２の開始インデックスとが同じ値を有するとき、
前記第１の制御メッセージと前記第２の制御メッセージとの間で異なる少なくとも１つの情報フィールドを決定するための手段と、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定するための手段と、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定するための手段とを備える、ワイヤレス通信のための装置。
【請求項７】
前記第２の開始インデックスにおいて前記第２の探索空間中で前記第２の制御メッセージを送信するための手段をさらに備える、請求項６に記載の装置。
【請求項８】
前記第１の探索空間は共通探索空間（ＣＳＳ）であり、前記第２の探索空間はユーザ機器固有探索空間（ＵＥＳＳ）である、請求項６に記載の装置。
【請求項９】
前記第１の探索空間はユーザ機器固有探索空間（ＵＥＳＳ）であり、前記第２の探索空間は共通探索空間（ＣＳＳ）である、請求項６に記載の装置。
【請求項１０】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項６に記載の装置。
【請求項１１】
メモリと、
前記メモリに結合され、
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なるそれぞれのビットを有する少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することと
を行うように構成された少なくとも１つのプロセッサを備える、ワイヤレス通信のための装置。
【請求項１２】
前記少なくとも１つのプロセッサが、前記第２の開始インデックスにおいて前記第２の探索空間中で前記第２の制御メッセージを送信するようにさらに構成された、請求項１１に記載の装置。
【請求項１３】
前記第１の探索空間は共通探索空間（ＣＳＳ）であり、前記第２の探索空間はユーザ機器固有探索空間（ＵＥＳＳ）である、請求項１１に記載の装置。
【請求項１４】
前記第１の探索空間はユーザ機器固有探索空間（ＵＥＳＳ）であり、前記第２の探索空間は共通探索空間（ＣＳＳ）である、請求項１１に記載の装置。
【請求項１５】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項１１に記載の装置。
【請求項１６】
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なるそれぞれのビットを有する少なくとも１つの情報フィールドを決定することと、
前記第２の制御メッセージ中の前記少なくとも１つの異なる情報フィールドが、前記第２の探索空間に基づいて復号される場合と前記第１の探索空間に基づいて復号される場合では異なる解釈を有するかどうかを決定することと、
前記第２の制御メッセージ中の前記少なくとも１つの情報フィールドが、前記第２の探索空間に基づいて復号される場合と前記第１の探索空間に基づいて復号される場合では異なる解釈を有する場合、前記第２の制御メッセージ中の前記少なくとも１つの異なる情報フィールドのビットを０に設定することとを行うためのコードを備えるコンピュータで実行可能なコードを記憶するコンピュータ可読記憶媒体。
【請求項１７】
前記コンピュータ可読記憶媒体が、前記第２の開始インデックスにおいて前記第２の探索空間中で前記第２の制御メッセージを送信するためのコードをさらに備える、請求項１６に記載のコンピュータ可読記憶媒体。
【請求項１８】
前記第１の探索空間は共通探索空間（ＣＳＳ）であり、前記第２の探索空間はユーザ機器固有探索空間（ＵＥＳＳ）である、請求項１６に記載のコンピュータ可読記憶媒体。
【請求項１９】
前記第１の探索空間はユーザ機器固有探索空間（ＵＥＳＳ）であり、前記第２の探索空間は共通探索空間（ＣＳＳ）である、請求項１６に記載のコンピュータ可読記憶媒体。
【請求項２０】
前記情報フィールドは非周期チャネル状態情報（ＣＳＩ）トリガリングフィールド、非周期サウンディング基準信号(ＳＲＳ)トリガリングフィールド、またはマルチクラスタ割当てフラグフィールドを備える、請求項１６に記載のコンピュータ可読記憶媒体。
【発明の詳細な説明】
【技術分野】
【０００１】
関連出願の相互参照
[0001]  本国際出願は、それらの全体が参照により本明細書に明確に組み込まれる、２０１３年１月３日に出願された「ENB PDCCH IMPLEMENTATION TO AVOID AMBIGUOUS DCI INFORMATION」と題する米国仮出願第６１／７４８，７３１号、２０１３年１月１７日に出願された「ENB PDCCH IMPLEMENTATION TO AVOID AMBIGUOUS DCI INFORMATION」と題する米国仮出願第６１／７５３，９００号、および２０１３年９月１０日に出願された「ENB PDCCH IMPLEMENTATION TO AVOID AMBIGUOUS DCI INFORMATION」と題する米国非仮出願第１４／０２３，４３８号の利益を主張する。
【０００２】
[0002]  本開示は、一般に通信システムに関し、より詳細には、物理ダウンリンク制御チャネル（ＰＤＣＣＨ：physical downlink control channel）候補がユーザ機器固有探索空間（ＵＥＳＳ：user equipment specific search space）または共通探索空間（ＣＳＳ：common search space）中で送信されるときのダウンリンク制御情報（downlink control information）のあいまいさを緩和することに関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ：multiple-input multiple-output）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータプログラム製品、および装置が提供される。本装置は、第１の探索空間（first search space）中で第１の制御情報（first control information）を送信するための第１の開始インデックス（first starting index）を決定することと、第２の探索空間中で第２の制御情報を送信するための第２の開始インデックスを決定することと、第１の開始インデックスと第２の開始インデックスとが同じ値でないとき、第２の開始インデックスにおいて第２の探索空間中で第２の制御情報を送信することとを行う。
【０００６】
[0006]  さらなる態様では、本装置は、第１の探索空間中で制御情報をＵＥに送信することと、送信された制御情報に対応するＵＥからの情報を受信することと、ＵＥが第１の探索空間に従って制御情報をパースする（parsing）ことに基づいて、およびＵＥが第２の探索空間に従って制御情報を間違ってパースすることに基づいて、受信した情報を復号することとを行う。
【０００７】
[0007]  別の態様では、本装置は、第１の探索空間中の第１の制御情報のために使用される制御チャネル要素（ＣＣＥ：control channel element）の数を有する第１のアグリゲーションレベル（aggregation level）を決定することと、第１のアグリゲーションレベルよりも低い値を有する第２のアグリゲーションレベルを使用して第２の探索空間中で第２の制御情報を送信することと、ここにおいて、第２の探索空間が第１の探索空間内に閉じ込められる、ここにおいて、第１の探索空間中の第１の制御情報のための開始ＣＣＥが第２の探索空間中の第２の制御情報のための開始ＣＣＥと同じである、第２の制御情報を送信するために使用されない第１のアグリゲーションレベルの少なくとも１つのＣＣＥを決定することと、第１の探索空間中の第１の制御情報の復号を劣化させるために少なくとも１つの未使用ＣＣＥ上で干渉（interference）を送信することとを行う。
【０００８】
[0008]  また別の態様では、本装置は、第１の探索空間中で第１の制御メッセージを送信するための第１の開始インデックスを決定することと、第２の探索空間中で第２の制御メッセージを送信するための第２の開始インデックスを決定することと、第１の開始インデックスと第２の開始インデックスとが同じ値を有するとき、第１の制御メッセージと第２の制御メッセージとの間で異なる少なくとも１つの情報フィールド（information field）を決定することと、第１の制御メッセージおよび第２の制御メッセージ中の少なくとも１つの個別の情報フィールドのビットを０に設定することとを行う。
【０００９】
[0009]  一態様では、本装置は、第１の探索空間中で送信するための第１の制御情報を生成することと、第１の制御情報をコーディングすることと、ここにおいて、第１の制御情報に適用されるコードが、第１の探索空間に固有であり、第２の探索空間中の第２の制御情報に適用されるコードとは異なる、コーディングされた第１の制御情報を第１の探索空間中で送信することとを行う。
【００１０】
[0010]  別の態様では、本装置は、第１の探索空間中の制御情報を生成することと、第１の探索空間のための生成された制御情報を含む第１のペイロード（first payload）のサイズを決定することと、第１のペイロードのサイズを第２の探索空間のための第２のペイロードとは異なるように調整することと、調整されたサイズを有する第１のペイロードを第１の探索空間中で送信することとを行う。
【００１１】
[0011]  さらなる態様では、本装置は、第１の探索空間中で送信するための第１の制御情報を生成する。サブフレームの第１のサブセットについて、本装置は、第１の探索空間中の第１の制御情報に第１の優先度（first priority）を割り当てることと、第１の優先度が、第２の探索空間中の第２の制御情報に割り当てられた第２の優先度よりも高い、割り当てられた第１の優先度をもつ第１の制御情報を第１の探索空間中で送信することとを行う。サブフレームの第２のサブセットについて、本装置は、第１の探索空間中の第１の制御情報に第３の優先度を割り当てることと、第３の優先度が、第２の探索空間中の第２の制御情報に割り当てられた第４の優先度よりも低い、割り当てられた第３の優先度をもつ第１の制御情報を第１の探索空間中で送信することとを行う。
【００１２】
[0012]  またさらなる態様では、本装置は、第１の探索空間中の第１の復号候補（first decoding candidate）（たとえば、第１のＰＤＣＣＨ候補）と第２の探索空間中の第２の復号候補（たとえば、第２のＰＤＣＣＨ候補）とを決定することと、ここで、第１の復号候補と第２の復号候補とが、同じサイズを有するが、情報フィールドの異なる定義を有する、情報フィールドの差異を識別することと、識別された差異に基づいて第１の復号候補および第２の復号候補のうちの１つを有効な候補として決定することとを行う。
【図面の簡単な説明】
【００１３】
【図１】[0013]  ネットワークアーキテクチャの一例を示す図。
【図２】[0014]  アクセスネットワークの一例を示す図。
【図３】[0015]  ＬＴＥにおけるＤＬフレーム構造の一例を示す図。
【図４】[0016]  ＬＴＥにおけるＵＬフレーム構造の一例を示す図。
【図５】[0017]  ユーザプレーンおよび制御プレーンのための無線プロトコルアーキテクチャの一例を示す図。
【図６】[0018]  アクセスネットワーク中の発展型ノードＢおよびユーザ機器の一例を示す図。
【図７Ａ】[0019]  連続キャリアアグリゲーションタイプを開示する図。
【図７Ｂ】[0020]  非連続キャリアアグリゲーションタイプを開示する図。
【図８】[0021]  ワイヤレス通信の方法のフローチャート。
【図９】[0022]  ワイヤレス通信の方法のフローチャート。
【図１０】[0023]  ワイヤレス通信の方法のフローチャート。
【図１１】[0024]  ワイヤレス通信の方法のフローチャート。
【図１２】[0025]  例示的な装置中の異なるモジュール／手段／構成要素間のデータフローを示す概念データフロー図。
【図１３】[0026]  処理システムを採用する装置のためのハードウェア実装形態の一例を示す図。
【図１４】[0027]  ワイヤレス通信の方法のフローチャート。
【図１５】[0028]  ワイヤレス通信の方法のフローチャート。
【図１６】[0029]  ワイヤレス通信の方法のフローチャート。
【図１７】[0030]  例示的な装置中の異なるモジュール／手段／構成要素間のデータフローを示す概念データフロー図。
【図１８】[0031]  処理システムを採用する装置のためのハードウェア実装形態の一例を示す図。
【図１９】[0032]  ワイヤレス通信の方法のフローチャート。
【図２０】[0033]  例示的な装置中の異なるモジュール／手段／構成要素間のデータフローを示す概念データフロー図。
【図２１】[0034]  処理システムを採用する装置のためのハードウェア実装形態の一例を示す図。
【発明を実施するための形態】
【００１４】
[0035]  添付の図面に関して以下に記載される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0036]  次に、様々な装置および方法に関して電気通信システムのいくつかの態様が提示される。これらの装置および方法を、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、またはソフトウェアとして実装されるかは、具体的な適用例およびシステム全体に課された設計制約に依存する。
【００１６】
[0037]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0038]  したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１８】
[0039]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ：user equipment）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
[0040]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（backhaul）（（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0041]  ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６はＭＢＭＳトラフィックのソースである。ＭＢＭＳゲートウェイ１２４はＭＢＭＳトラフィックをｅＮＢ１０６、１０８に分配する。
【００２１】
[0042]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２２】
[0043]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0044]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディング（precoding）し（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、個別の空間シグネチャ（spatial signature）とともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２４】
[0045]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0046]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
[0047]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックス（normal cyclic prefix）について、時間領域中に７個の連続するＯＦＤＭシンボル、または８４個のリソース要素を含んでいる。拡張サイクリックプレフィックス（extended cyclic prefix）について、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２７】
[0048]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションをもたらす。
【００２８】
[0049]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２９】
[0050]  初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３０】
[0051]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００３１】
[0052]  ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３２】
[0053]  ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００３３】
[0054]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３４】
[0055]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３５】
[0056]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して個別のアンテナ６２０に与えられる。各送信機６１８ＴＸは、送信のためにそれぞれの空間ストリームでＲＦキャリアを変調する。
【００３６】
[0057]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３７】
[0058]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３８】
[0059]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３９】
[0060]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して個別のアンテナ６５２に与えられる。各送信機６５４ＴＸは、送信のためにそれぞれの空間ストリームでＲＦキャリアを変調する。
【００４０】
[0061]  ＵＬ送信は、ＵＥ６５０における受信機機能に関して説明された方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４１】
[0062]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４２】
[0063]  ＬＴＥアドバンストＵＥは、各方向において送信のために使用される最高合計１００ＭＨｚ（５つのコンポーネントキャリア）のキャリアアグリゲーションにおいて割り振られる、最高２０ＭＨｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当ては、スペクトルを節約し、ブロードバンド加入者による一般に非対称な帯域利用にぴったり合う。
【００４３】
[0064]  ＬＴＥアドバンストモバイルシステムのために、２つのタイプのキャリアアグリゲーション（ＣＡ：carrier aggregation）方法、すなわち、連続ＣＡおよび非連続ＣＡが提供されている。それらを図７Ａおよび図７Ｂに示す。非連続ＣＡは、複数の利用可能なコンポーネントキャリアが周波数帯域に沿って分離されたときに生じる（図７Ｂ）。一方、連続ＣＡは、複数の利用可能なコンポーネントキャリアが互いに隣接するときに生じる（図７Ａ）。非連続ＣＡと連続ＣＡの両方は、ＬＴＥアドバンストＵＥの単一ユニットを処理するために複数のＬＴＥ／コンポーネントキャリアをアグリゲートする。
【００４４】
[0065]  ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００４５】
[0066]  したがって、非連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅノードＢ）が各コンポーネントキャリア上の送信電力を固定しているＬＴＥアドバンストシステムでは、各コンポーネントキャリアの有効カバレージまたはサポート可能な変調およびコーディングが異なり得る。
【００４６】
[0067]  物理ダウンリンク制御チャネル（ＰＤＣＣＨ）ダウンリンク制御情報フォーマット０（ＤＣＩ０）ペイロードの解釈は、ＵＥが、共通探索空間（ＣＳＳ）中でＤＣＩ０を発見するのか、ＵＥ固有探索空間（ＵＥＳＳ）中でＤＣＩ０を発見するのかに依存し得る。ＣＳＳがＵＥＳＳと重複し、ＣＳＳの開始制御チャネル要素（ＣＣＥ）（すなわち、開始インデックス）が、ＵＥＳＳの開始ＣＣＥと整合されたとき、実際はＵＥＳＳからのＰＤＣＣＨ候補が意図された候補であるときに、ＵＥはＣＳＳからＰＤＣＣＨ候補を選択し得る。これにより、ＵＥは、ＤＣＩペイロードを間違ってパースすることになり、ｅＮＢとＵＥとの間の不整合（たとえば、実際のＵＥビヘイビア（behavior）とｅＮＢによって予想されたＵＥビヘイビアとの間の不一致）につながることがある。したがって、実際のＵＥビヘイビアとｅＮＢによって予想されたＵＥビヘイビアとの間の不一致を回避するために、ＰＤＣＣＨスケジューリングの変更が必要になり得る。したがって、本開示は、ＤＣＩ０あいまいさを緩和するための手法を提供する。
【００４７】
[0068]  制御チャネル復号候補のための開始インデックスの決定は、探索空間のタイプ、復号候補に関連するアグリゲーションレベル、ＵＥ固有無線ネットワーク一時識別子（ＲＮＴＩ）、および／またはサブフレーム中の制御チャネル要素（ＣＣＥ）の数に基づき得る。ＵＥは、サブフレーム中のＣＣＥの数を最初に決定し得る。探索空間がＣＳＳである場合、アグリゲーションレベルのセットと、所与のアグリゲーションレベルのための復号候補のセットとが決定され得る。各アグリゲーションレベルはいくつかのＣＣＥからなる。たとえば、ＵＥは、ＣＳＳ中にアグリゲーションレベル４およびアグリゲーションレベル８があり、アグリゲーションレベル４およびアグリゲーションレベル８について、それぞれ、４つの復号候補および２つの復号候補があると決定し得る。４つの復号候補のためのアグリゲーションレベル４のための開始インデックスは、０から開始し、４の倍数であり得る、すなわち、アグリゲーションレベル４の４つの復号候補のためのＣＣＥ０、ＣＣＥ４、ＣＣＥ８およびＣＣＥ１２であり得る。２つの復号候補のためのアグリゲーションレベル８のための開始インデックスは、０から開始し、８の倍数であり得る、すなわち、アグリゲーションレベル８の２つの復号候補のためのＣＣＥ０およびＣＣＥ８であり得る。探索空間がＵＥＳＳである場合、ＵＥはアグリゲーションレベルのための開始インデックスを最初に決定し得る。開始インデックスは、ＵＥ固有ＲＮＴＩと、いくつかのランダムシードと、サブフレーム中のＣＣＥの数とに基づいて導出され得る。開始インデックスは、異なるサブフレームについて異なり得る。アグリゲーションレベルＬのための開始インデックスは、Ｌの倍数であり得る。一例として、４０個のＣＣＥのサブフレームにおいて、ＵＥは、アグリゲーションレベル１のための開始インデックスが、アグリゲーションレベル１の６つの復号候補について、それぞれ、７、８、９、１０、１１、および１２であると決定し得る。ＵＥは、アグリゲーションレベル２のための開始インデックスが、アグリゲーションレベル２の６つの復号候補について、それぞれ、１６、１８、２０、２２、２４、および２６であると決定し得る。ＵＥは、アグリゲーションレベル４のための開始インデックスが、アグリゲーションレベル４の４つの復号候補について、それぞれ、２８、３２、３６、および０であると決定し得る。ＵＥは、アグリゲーションレベル８のための開始インデックスが、アグリゲーションレベル８の２つの復号候補について、それぞれ、８および１６であると決定し得る。
【００４８】
[0069]  ＰＤＣＣＨ候補がＵＥＳＳ中で送信されるのかＣＳＳ中で送信されるのかを決定する際のあいまいさに備えて、ワイヤレス規格仕様（たとえば、ＬＴＥ規格）は選択ルールを与え得る。たとえば、ＣＳＳは、ＵＥＳＳに勝る優先度を付けられ得る。特に、１次セル上のＣＳＳおよびＵＥＳＳ中の、共通ペイロードサイズをもち、同じ第１のＣＣＥインデックスをもつが、ＤＣＩ情報フィールドの異なるセットをもつ、セル無線ネットワーク一時識別子（Ｃ−ＲＮＴＩ）または半永続的スケジューリング（ＳＰＳ：semi-persistent scheduling）Ｃ−ＲＮＴＩによってスクランブルされたＣＲＣをもつＰＤＣＣＨ候補を監視するように構成されたＵＥは、ＣＳＳ中のＰＤＣＣＨのみが１次セルによって送信されると仮定し得る。
【００４９】
[0070]  ワイヤレス規格仕様によって与えられる選択ルールは、共通ペイロードおよび開始ＣＣＥの場合のＵＥビヘイビアを定義し、アグリゲーションレベル（ＡＬ：aggregation level）とは無関係に適用され得る。特に、共通ペイロードと、同じ開始ＣＣＥと、同じアグリゲーションレベルまたは異なるアグリゲーションレベルのいずれかとの場合、ＵＥはＣＳＳに、ＵＥＳＳに勝る優先度を付け得る。
【００５０】
[0071]  ＣＳＳおよびＵＥＳＳ中の同じアグリゲーションレベル、同じペイロードおよび完全に一致するＰＤＣＣＨリソース（たとえば、同じ開始ＣＣＥ）の場合、ＵＥは、ＵＥＳＳ上で送られたＤＣＩ０とＣＳＳ上で送られたＤＣＩ０との間で区別することが可能でないことがある。たとえば、意図されたＤＣＩ０候補がＵＥＳＳからのものであるときに、ＵＥがＣＳＳからＤＣＩ０候補を選択することは、ＵＥとｅＮＢとの間の不整合につながり得る。
【００５１】
[0072]  共通ペイロード、および同じ開始ＣＣＥをもち、異なるアグリゲーションレベルの場合、より高いアグリゲーションレベルをもつＣＳＳからのＤＣＩ０候補は、より低いアグリゲーションレベルをもつＵＥＳＳ中のＤＣＩ０候補としてＵＥに見られ得る。たとえば、高い信号対雑音比（ＳＮＲ）があり、開始ＣＣＥインデックスが同じであるとき、アグリゲーションレベル４をもつＣＳＳ中で送られたＤＣＩ０を、アグリゲーションレベル２をもつＵＥＳＳ中で送られたＤＣＩ０と区別することは困難であり得る。
【００５２】
[0073]  ＰＤＣＣＨ候補は、いくつかの連続するＣＣＥを備える。ＰＤＣＣＨは、いくつかの連続するＣＣＥの１つまたはアグリゲーション上で送信される。アグリゲーションレベル（ＡＬ）１は単一のＣＣＥを備える。ＡＬ２、４、および８は、それぞれ、２つ、４つ、および８つの連続するＣＣＥに対応する。探索空間のサイズは、ＰＤＣＣＨ候補の数とＣＣＥアグリゲーションレベルのサイズとによって決定され得る。たとえば、探索空間のサイズは、ＰＤＣＣＨ候補ごとのＣＣＥの数×ＰＤＣＣＨ候補の数として定義され得る。したがって、探索空間サイズはアグリゲーションレベルの関数である。ＣＳＳによってサポートされるＣＣＥアグリゲーションレベルの数は、４および８に限定され得る。ＵＥＳＳは、ＣＣＥアグリゲーションレベル１、２、４および８をサポートし得る。一般に、より低いアグリゲーションレベル候補がより高いアグリゲーションレベル候補に完全に閉じ込められ、開始ＣＣＥとペイロードとが同じである場合、異なるアグリゲーションレベル仮定にわたるポストデレートマッチング（post de-rate matching）メトリックの類似性により、ＵＥは両方の候補を復号することになり得る。この場合、ＣＳＳ対ＵＥＳＳの信頼できる検出は困難であり得、生データに基づく復号決定が必要になり得る。ただし、生データに基づく復号決定は、ＵＥ処理要件を著しく増やし得る。
【００５３】
[0074]  一例では、それぞれ１０ＭＨｚ帯域幅を有し、サウンディング基準信号（ＳＲＳ：sounding reference signal）およびキャリアインデックスフィールドをシグナリングしない２つのダウンリンク周波数分割複信（ＦＤＤ）セルでＵＥが構成されたとき、ＣＳＳとＵＥＳＳの両方のためのＤＣＩ０のペイロードは４３ビットである。ＣＳＳの場合、パディングビットとともに１ビットＣＱＩ要求が使用され得る。ＵＥＳＳの場合、パディングなしの２ビットＣＱＩ要求が使用され得る。ｅＮＢがアグリゲーションレベル２および開始ＣＣＥ０をもつＵＥＳＳ上でＤＣＩ０を送信し、したがってＵＥＳＳがＣＳＳ中に埋め込まれる場合、ＵＥは、アグリゲーションレベル４をもつＣＳＳとアグリゲーションレベル２をもつＵＥＳＳとの間で区別することができなくなり得、ＵＥＳＳ候補が選択されるべきときにＣＳＳ候補を選択し得る。さらに、ＣＳＩ要求フィールドが「１０」であり、２次セル（Ｓｃｅｌｌ）がトリガグループ０に属する場合、ＵＥとｅＮＢとは予想されたＣＱＩ報告の数に関して一致せず、ＰＵＳＣＨブロックエラーレート（ＢＬＥＲ：block error rate）をトリガし得る。
【００５４】
[0075]  上記の例では、「１０」に設定されているＣＳＩ要求フィールドのみが、あいまいさを生じる。「１１」または「０１」に設定されたＣＳＩ要求フィールドをもつＤＣＩ０は、ＵＥＳＳ候補として復号されることになる。「００」に設定されたＣＳＩ要求フィールドは、ＵＥＳＳとＣＳＳの両方に対して同じ解釈を有する。あいまいなビヘイビアを回避するために、アグリゲーションレベルにかかわらず、ｅＮＢ  ＰＤＣＣＨスケジューリングは、本開示で説明するように、あいまいなＤＣＩ０復号を考慮し、緩和しなければならない。
【００５５】
[0076]  一態様では、ｅＮＢスケジューリングは、あいまいなＤＣＩ０復号を緩和するために改善され得る。あいまいさはＣＳＳとＵＥＳＳとが同じ開始ＣＣＥを有することに由来するので、アグリゲーションレベルにかかわらず、ｅＮＢが、ＵＥＳＳ中のＤＣＩ０メッセージのための開始ＣＣＥがＣＳＳ中の開始ＣＣＥでないことを確実にすることによって、あいまいさは回避され得る。
【００５６】
[0077]  たとえば、利用可能なＣＣＥの総数（ＮCCE）がＮCCE＝８である場合、候補のための開始ＣＣＥインデックスｍおよびアグリゲーションレベルＬは以下によって与えられ得る。
【数１】
0006049907.tif 000002
【００５７】
ここで、Ｙkは、ＲＮＴＩとスロット番号とに応じて開始インデックスをランダム化するために使用され、ここで、Ｙkは０と６５５３６との間の一意の値を取ることができ、ｍは、０と
【数２】
0006049907.tif 000003
【００５８】
との間の値を取ることができる候補インデックス（candidate index）である。
【００５９】
[0078]  上記の例で述べたように、ＵＥは、開始インデックス０とともにＬ＝２を使用してＵＥＳＳ中で送られるＤＣＩフォーマット０を、開始インデックス０とともにＬ＝４を使用してＣＳＳ中で送られるＤＣＩフォーマット０と区別することができないことがある。
【００６０】
[0079]  ただし、ｅＮＢは、１）あいまいさの存在を検出すること、および２）あいまいさを回避する開始インデックスを発見することによって、そのようなあいまいさを回避し得る。Ｙkの所与の別個の値（distinct value）について、Ｌ＝４またはＬ＝８を使用し得るＣＳＳ中のメッセージとの衝突を回避する、Ｌ＝２のときに０または４に等しくない開始インデックスを生じる２つの候補インデックスｍを発見することが可能であることが、上式の網羅的な計算を通して示され得る。
【００６１】
[0080]  同様に、Ｙkの所与の別個の値について、Ｌ＝４またはＬ＝８を使用し得るＣＳＳ中のメッセージとの衝突を回避する、Ｌ＝１のときに０または４に等しくない開始インデックスを生じる少なくとも４つの候補インデックスｍを発見することが可能であることが示され得る。したがって、このタイプの衝突を回避する好適なＰＤＣＣＨ候補インデックス（すなわち、開始ＣＣＥ）が計算され得る機構をｅＮＢスケジューラにおいて実装することが可能である。
【００６２】
[0081]  代替的に、ｅＮＢ実装形態は、このタイプの衝突を単に検出し、サブフレームにおけるあいまいなビヘイビアを生じ得るＤＣＩフォーマット０メッセージを含んでいるＰＤＣＣＨを送信しないことを単に選択し得るが、ＤＣＩフォーマット０メッセージを送るために後でＹkにより開始インデックスをランダム化する。
【００６３】
[0082]  別の態様では、あいまいさの可能性があるときはいつでも、様々な数のＣＱＩ報告に対応するすべての関連するペイロードにわたるＰＵＳＣＨのブラインド復号（blind decoding）を実行することによって、あいまいなＤＣＩ０復号は緩和され得る。たとえば、ＵＥがＤＣＩ０メッセージを間違ってパースする（復号の後に解釈する）とき、対応するＰＵＳＣＨペイロードがｅＮＢによって予想されたペイロードと整合されないことがある。これは、上記で説明したように、不整合（misalignment）をもたらし、ＰＵＳＣＨ  ＢＬＥＲをトリガすることになり得る。ただし、ｅＮＢがあいまいなＤＣＩ０復号に従ってすべての可能なペイロードまたはサブセット上のＰＵＳＣＨをブラインド復号する場合、ＵＥがＤＣＩ０メッセージを正しくパースした（解釈した）かどうかにかかわらず、ｅＮＢはＰＵＳＣＨを復号することが可能になる。したがって、ブラインド復号により、ｅＮＢは、ＤＣＩ０ペイロードのすべての可能なＵＥ解釈にわたってＰＵＳＣＨを正しく復号することが可能になる。これにより、ｅＮＢとＵＥとの間の不整合が緩和される。さらに、ｅＮＢは、ＵＥによって間違ってパースされたメッセージを再送信するという決定を行うことができる。
【００６４】
[0083]  さらなる態様では、より高いアグリゲーションレベルの未使用ＣＣＥ上で干渉を送信することによって、あいまいなＤＣＩ０復号が緩和され得る。たとえば、より低いアグリゲーションレベル候補が、同じ開始ＣＣＥおよびペイロードをもつより高いアグリゲーションレベル候補中に完全に閉じ込められたとき、より高いアグリゲーションレベルの未使用ＣＣＥは送信されず、両方の探索空間における仮定間で同様の復号メトリック（正常な復号を決定するために使用されるメトリック）が生じ得る。したがって、より高いアグリゲーションレベルのための仮定の復号メトリックを劣化させるために、より高いアグリゲーションレベル候補の未使用ＣＣＥ上で干渉が送信され得る。たとえば、ＣＳＳ中のアグリゲーションレベル４の未使用部分上で十分に強い干渉を送信することにより、ＵＥにおけるＣＳＳ候補の仮定が劣化し、ＵＥがＵＥＳＳ中の候補を選択することにつながる可能性がある。
【００６５】
[0084]  また別の態様では、あいまいさを生じる送信フィールドを制限することによって、あいまいなＤＣＩ０復号は緩和され得る。ｅＮＢは、あいまいさがあるときにＵＥおよび共通探索空間にわたるＤＣＩ０メッセージパーシングを統一し得る。たとえば、上記で説明した例では、ｅＮＢは、あいまいさを回避するためにＣＳＩ要求フィールドを「１０」に設定することを控え得る。
【００６６】
[0085]  たとえば、ｅＮＢにおいて以下のルールが使用され得る。ＵＥＳＳ中の復号候補がＣＳＳと同じ開始ＣＣＥを有する場合、あいまいさを潜在的に生じるすべてのフィールドを、ＣＳＳに関連するＤＣＩとＵＥＳＳに関連するＤＣＩとの間で共通の解釈を生じる値に設定する。たとえば、非周期ＣＳＩトリガリングフィールドと、非周期ＳＲＳトリガリングフィールドと、マルチクラスタ割当てフラグフィールドとを含むＤＣＩフォーマット０中の情報フィールドについて、ｅＮＢは対応するフィールド（またはビット）を０に設定し得、したがって、Ａ−ＣＳＩ／Ａ−ＳＲＳ／マルチクラスタは使用不可能になる。
【００６７】
[0086]  一態様では、ＵＥＳＳ中にのみ存在する情報フィールドは、対応するＤＣＩの終わりに向けて配置され得る（たとえば、対応するＤＣＩの一連のフィールドの後半に位置し得る）。これにより、あいまいさを回避するための情報フィールドの送信に対する制限が最小限に抑えられるように、ＣＳＳ中のＤＣＩとＵＥＳＳ中のＤＣＩとの間の情報の共通性が最大になり得る。
【００６８】
[0087]  一態様では、ワイヤレス規格仕様手法が、あいまいさを潜在的に生じるＤＣＩ０ペイロードに対処する。ペイロードが、１）ＣＳＳとＵＥＳＳの両方について有効である、および２）ペイロードがＣＳＳ中で検出されるのか、ＵＥＳＳ中で検出されるのかに応じて異なるＵＥビヘイビアを生じるとき、ペイロードはあいまいさを潜在的に生じる。
【００６９】
[0088]  ペイロードあいまいさを回避するために、ＵＥＳＳとＣＳＳとの間のコーディング実装形態を変更することによって、ＵＥＳＳとＣＳＳとは明示的に区別され得る。これは、１）ＣＳＳとは異なるＵＥＳＳのレートマッチングを実装すること、２）ＣＳＳとは異なるＵＥＳＳのインターリーブを実装すること、または３）ＵＥＳＳ巡回冗長検査（ＣＲＣ：cyclic redundancy check）をスクランブルすることによって達成され得る。上記解決策は、（１つまたは複数の）ＵＥ能力フィールド広告サポート（UE capability field(s) advertising support）を与えることによって、ＬＴＥリリース１０ＵＥまたは将来のＬＴＥリリースとの後方互換性があり得る。ＵＥによってサポートされる場合、ネットワークはＣＳＳとＵＥＳＳとにわたる差分スクランブル（differentiated scrambling）またはコーディングのアクティブ化をＵＥにシグナリングすることによって、差分コーディング（differentiated coding）またはスクランブルを使用し得る。
【００７０】
[0089]  ＵＥは、次のように、差分コーディングまたはスクランブルのためのそれの能力をシグナリングし得る。ＵＥは、ＵＥＣａｐａｂｉｌｉｔｙＩｎｆｏｒｍａｔｉｏｎ  ＲＲＣメッセージを使用することによって、ＵＥＳＳにおける差分コーディング（たとえば、ＣＲＣスクランブル、レートマッチングなど）のサポートを広告することができる。このメッセージは、ＵＥ能力パラメータを搬送するために使用されるＵＥ−ＥＵＴＲＡ−Ｃａｐａｂｉｌｉｔｙを含んでいる。ＵＥＳＳ中のＰＤＣＣＨ復号のためのＵＥ能力をシグナリングするためのフィールドが追加され得る。追加されたフィールドは、ＵＥＳＳのどのＰＤＣＣＨコーディングがＵＥによってサポートされるかを示し得る。ＵＥＳＳ中で差分コーディングを使用するという決定は、ｅＮＢ次第である。ｅＮＢは、差分コーディングを可能にするためにＲａｄｉｏＲｅｓｏｕｒｃｅＣｏｎｆｉｇＤｅｄｉｃａｔｅｄ  ＲＲＣメッセージを使用し得る。たとえば、ＣＲＣスクランブルが可能にされることを搬送するために、ＰｈｙｓｉｃａｌＣｏｎｆｉｇＤｅｄｉｃａｔｅｄ情報要素にフィールドが追加され得る。
【００７１】
[0090]  代替的に、ペイロードあいまいさを回避するために、ＵＥＳＳペイロードはＣＳＳペイロードと区別され得る。これは、それぞれのペイロードサイズが異なることを確実にすることによって達成され得る。たとえば、ＵＥＳＳコンテンツおよびＣＳＳコンテンツがペイロードあいまいさを生じ得るときはいつでも、ペイロードサイズも異なることを確実にするためにパディングビットが追加され得る。本解決策は、サポートを広告する（１つまたは複数の）ＵＥ能力フィールドを与えることによって、既存のＵＥとの後方互換性があり得る。
【００７２】
[0091]  さらなる代替では、ＣＳＳおよびＵＥＳＳは、サブフレームに応じて優先度を付けられ得る。たとえば、あいまいさに備えて、そこでＵＥシステム情報（たとえば、ページングおよびＳＩＢ）がＵＥによって受信された可能性があるサブフレーム中で、ＣＳＳはＵＥＳＳに勝る優先度を付けられ得る。一方、ＵＥＳＳは、他のサブフレーム中でＣＳＳに勝る優先度を付けられ得る。
【００７３】
[0092]  たとえば、サブフレームの第１のセット（たとえば、周波数分割複信（ＦＤＤ）システムのためのサブフレーム０、４、５、および９、ならびに時分割複信（ＴＤＤ）システムのためのサブフレーム０、１、５、および６）中で、ＣＳＳはＵＥＳＳの優先度よりも高い優先度を有する。サブフレームの残りのセットでは、ＵＥＳＳは、ＣＳＳの優先度よりも高い優先度を有する。これは、ｅＮＢがＵＥを再構成しているときに、ＣＳＳがフォールバック動作を行うことを可能にし、ＵＥはアクティブにされている新しい特徴の知識を有しない。
【００７４】
[0093]  一態様では、いくつかの条件下ではＣＳＳがより高い優先度を割り当てられるが、他の条件下ではＵＥＳＳがより高い優先度を割り当てられるように、優先度付けは実行され得る。たとえば、ＣＳＳからの第１のＤＣＩとＵＥＳＳからの第２のＤＣＩとの間の優先度付けは、第１のＤＣＩと第２のＤＣＩとが同じサイズの同じ開始ＣＣＥを有するが、異なる情報コンテンツを有するとき、情報コンテンツの差異に依存し得る。
【００７５】
[0094]  たとえば、第２のＤＣＩは、クロスキャリアスケジューリング（ＣＩＦ）情報フィールドを含んでいることがある。この情報フィールドはＤＣＩの始めに存在し得る。したがって、第１のＤＣＩに基づくフォールバック動作が可能であるように、第１のＤＣＩはより高い優先度を割り当てられ得る。
【００７６】
[0095]  別の例では、第１のＤＣＩ中の１ビットＣＳＩ要求フィールドと比較して、第２のＤＣＩは２ビットチャネル状態情報（ＣＳＩ：channel state information）要求フィールドを含んでいることがある。この情報フィールドは、ＤＣＩの終わりに向けて存在し得る（たとえば、ＤＣＩの一連のフィールドの後半に位置し得る）。したがって、フォールバック動作に対する有意な影響なしに、２ビットＣＳＩ要求の使用の可能性がより高くなるように、第２のＤＣＩはより高い優先度を割り当てられ得る。たとえば、事実上、制御チャネルによって搬送された情報にあいまいさがないように、第１のＤＣＩと第２のＤＣＩとの間の別個の情報フィールドに対応するビットの一部または全部を設定しながら、第１のＤＣＩと第２のＤＣＩとの間の情報フィールドの最小共通セットを使用して制御チャネルを送信することによって、フォールバック動作は依然として実行され得る。
【００７７】
[0096]  図８は、ワイヤレス通信の方法のフローチャート８００である。本方法は基地局（たとえば、ｅＮＢ）によって実行され得る。ステップ８０２において、基地局は、第１の探索空間中で第１の制御情報（たとえば、第１のＰＤＣＣＨ  ＤＣＩ０メッセージ）を送信するための第１の開始インデックス（たとえば、第１の開始ＣＣＥ）を決定する。ステップ８０４において、基地局は、第２の探索空間中で第２の制御情報（たとえば、第２のＰＤＣＣＨ  ＤＣＩ０メッセージ）を送信するための第２の開始インデックス（たとえば、第２の開始ＣＣＥ）を決定する。一態様では、第１の探索空間が共通探索空間（ＣＳＳ）であり、第２の探索空間がユーザ機器固有探索空間（ＵＥＳＳ）である。代替的に、第１の探索空間はＵＥＳＳであり得、第２の探索空間はＣＳＳであり得る。
【００７８】
[0097]  第１の開始インデックスは、少なくとも、第１の制御情報を送信するために使用される第１の探索空間に対応する候補インデックスとアグリゲーションレベルとに基づいて決定され得る。第２の開始インデックスは、少なくとも、第２の制御情報を送信するための第２の探索空間に対応する候補インデックスとアグリゲーションレベルとに基づいて決定され得る。したがって、第２の開始インデックスの値が第１の開始インデックスの値と同じでないように、基地局は、第２の開始インデックスを決定するための少なくとも１つの候補インデックスを選択し得る。
【００７９】
[0098]  たとえば、候補のための開始ＣＣＥインデックスｍとアグリゲーションレベルＬとが、
【数３】
0006049907.tif 000004
【００８０】
によって与えられ、ここで、Ｙkは、ＲＮＴＩとスロット番号とに応じて開始インデックスをランダム化するために使用され、ここで、Ｙkは０と６５５３６との間の固有の値を取ることができ、ｍは、０と
【数４】
0006049907.tif 000005
【００８１】
との間の値を取ることができる候補インデックスである場合、第２の開始ＣＣＥインデックスの値が第１の開始ＣＣＥインデックスの値と同じでないように、基地局は、第２の開始ＣＣＥインデックスを決定するためのｍの値を選択し得る。
【００８２】
[0099]  ステップ８０６において、基地局は、第１の開始インデックスの値が第２の開始インデックスの値と同じであるかどうかを決定する。決定は、第１の開始インデックス値を第２の開始インデックス値と比較することによって実行され得る。ステップ８０８において、第１の開始インデックスと第２の開始インデックスとが同じ値でないとき、基地局は、第２の開始インデックスにおいて第２の探索空間中で第２の制御情報を送信する。
【００８３】
[00100]  第１の開始インデックスと第２の開始インデックスとが同じ値であるとき、ステップ８１０において、基地局は、第２の開始インデックスにおいて第２の探索空間中で第２の制御情報を送信することを控える。その後、ステップ８１２において、基地局は、第２の探索空間中で第２の制御情報を送信するための第３の開始インデックスを決定する。基地局は、第１の開始インデックス値と同じである開始インデックス値を使用しない第３の開始インデックスを決定し得る。最後に、ステップ８１４において、第１の開始インデックスと第３の開始インデックスとが同じ値でないとき、基地局は、第３の開始インデックスにおいて第２の探索空間中で第２の制御情報を送信する。
【００８４】
[00101]  図９は、ワイヤレス通信の方法のフローチャート９００である。本方法は基地局（たとえば、ｅＮＢ）によって実行され得る。ステップ９０２において、基地局は、第１の探索空間中で制御情報をユーザ機器（ＵＥ）に送信する。制御情報は、第２の探索空間中で第２の制御情報を送信するための開始インデックスと同じである開始インデックスにおいて第１の探索空間中で送信され得る。第１の探索空間はユーザ機器固有探索空間（ＵＥＳＳ）であり得、第２の探索空間は共通探索空間（ＣＳＳ）であり得る。代替的に、第１の探索空間はＣＳＳであり得、第２の探索空間はＵＥＳＳであり得る。
【００８５】
[00102]  ステップ９０４において、基地局は、送信された制御情報に対応するＵＥからの情報を受信する。ステップ９０６において、基地局は、ＵＥが第１の探索空間に従って制御情報をパースすることに基づいて、受信した情報を復号する。基地局はまた、ＵＥが第２の探索空間に従って制御情報を間違ってパースすることに基づいて、受信した情報を復号する。最後に、ステップ９０８において、ＵＥが第２の探索空間に従って制御情報を間違ってパースしたことを基地局が知ったとき、基地局は、第１の探索空間中で制御情報をＵＥに再送信する。
【００８６】
[00103]  図１０は、ワイヤレス通信の方法のフローチャート１０００である。本方法は基地局（たとえば、ｅＮＢ）によって実行され得る。ステップ１００２において、基地局は、第１の探索空間中の第１の制御情報のために使用される制御チャネル要素（ＣＣＥ）の数を有する第１のアグリゲーションレベルを決定する。
【００８７】
[00104]  ステップ１００４において、基地局は、第１のアグリゲーションレベルよりも低い値を有する第２のアグリゲーションレベルを使用して、第２の探索空間中で第２の制御情報を送信する。第２の探索空間は、第１の探索空間内に閉じ込められ得る。その上、第１の探索空間中で第１の制御情報を送信するための開始ＣＣＥは、第２の探索空間中で第２の制御情報を送信するための開始ＣＣＥと同じである。第１の探索空間はユーザ機器固有探索空間（ＵＥＳＳ）であり得、第２の探索空間は共通探索空間（ＣＳＳ）であり得る。代替的に、第１の探索空間はＣＳＳであり得、第２の探索空間はＵＥＳＳであり得る。
【００８８】
[00105]  ステップ１００６において、基地局は、制御情報を送信するために使用されない第１のアグリゲーションレベルの少なくとも１つのＣＣＥを決定する。ステップ１００８において、基地局は、第１の探索空間中の第１の制御情報の復号を劣化させるために、少なくとも１つの未使用ＣＣＥ上で干渉を送信する。
【００８９】
[00106]  図１１は、ワイヤレス通信の方法のフローチャート１１００である。本方法は基地局（たとえば、ｅＮＢ）によって実行され得る。ステップ１１０２において、基地局は、第１の探索空間中で第１の制御メッセージ（たとえば、第１のＰＤＣＣＨメッセージ）を送信するための第１の開始インデックス（たとえば、第１の開始ＣＣＥ）を決定する。ステップ１１０４において、基地局は、第２の探索空間中で第２の制御メッセージ（たとえば、第２のＰＤＣＣＨメッセージ）を送信するための第２の開始インデックス（たとえば、第２の開始ＣＣＥ）を決定する。一態様では、第１の探索空間が共通探索空間（ＣＳＳ）であり、第２の探索空間がユーザ機器固有探索空間（ＵＥＳＳ）である。代替的に、第１の探索空間はＵＥＳＳであり得、第２の探索空間はＣＳＳであり得る。
【００９０】
[00107]  ステップ１１０６において、基地局は、第１の開始インデックスの値が第２の開始インデックスの値と同じであるかどうかを決定する。第１の開始インデックスと第２の開始インデックスとが同じ値でないとき、基地局は、第２の開始インデックスにおいて第２の探索空間中で第２の制御情報を送信する（ステップ１１１２）。
【００９１】
[00108]  第１の開始インデックスと第２の開始インデックスとが同じ値を有するとき、ステップ１１０８において、基地局は、第１の制御メッセージと第２の制御メッセージとの間で異なる少なくとも１つの情報フィールドを決定する。ステップ１１１０において、基地局は、第１の制御メッセージと第２の制御メッセージとの中の少なくとも１つの個別の情報フィールドのビットを０に設定する。その後、ステップ１１１２において、基地局は、第２の開始インデックスにおいて第２の探索空間中で第２の制御メッセージを送信する。
【００９２】
[00109]  図１２は、例示的な装置１２０２中の異なるモジュール／手段／構成要素間のデータフローを示す概念データフロー図１２００である。本装置は基地局（たとえば、ｅＮＢ）であり得る。本装置は、受信モジュール１２０４と、制御情報生成モジュール１２０６と、開始インデックス決定モジュール１２０８と、情報処理モジュール１２１０と、アグリゲーションレベル決定モジュール１２１２と、干渉生成モジュール１２１４と、送信モジュール１２１６とを含む。
【００９３】
[00110]  開始インデックス決定モジュール１２０８は、第１の探索空間中の第１の制御情報（たとえば、第１のＰＤＣＣＨ  ＤＣＩ０メッセージ）のための第１の開始インデックス（たとえば、第１の開始ＣＣＥ）を決定する。開始インデックス決定モジュール１２０８はまた、第２の探索空間中の第２の制御情報（たとえば、第２のＰＤＣＣＨ  ＤＣＩ０メッセージ）のための第２の開始インデックス（たとえば、第２の開始ＣＣＥ）を決定する。一態様では、第１の探索空間が共通探索空間（ＣＳＳ）であり、第２の探索空間がユーザ機器固有探索空間（ＵＥＳＳ）である。代替的に、第１の探索空間はＵＥＳＳであり得、第２の探索空間はＣＳＳであり得る。
【００９４】
[00111]  第１の開始インデックスは、少なくとも、第１の制御情報のために使用される第１の探索空間に対応する候補インデックスとアグリゲーションレベルとに基づいて決定され得る。第２の開始インデックスは、少なくとも、第２の制御情報のための第２の探索空間に対応する候補インデックスとアグリゲーションレベルとに基づいて決定され得る。したがって、第２の開始インデックスの値が第１の開始インデックスの値と同じでないように、開始インデックス決定モジュール１２０８は第２の開始インデックスを決定するための少なくとも１つの候補インデックスを選択し得る。
【００９５】
[00112]  開始インデックス決定モジュール１２０８はさらに、第１の開始インデックスの値が第２の開始インデックスの値と同じであるかどうかを決定する。第１の開始インデックスと第２の開始インデックスとが同じ値でないとき、制御情報生成モジュール１２０６は、第２の開始インデックスにおいて第２の探索空間中で第２の制御情報を（送信モジュール１２１６を介して）送信する。
【００９６】
[00113]  第１の開始インデックスと第２の開始インデックスとが同じ値であるとき、制御情報生成モジュール１２０６は、第２の開始インデックスにおいて第２の探索空間中で第２の制御情報を送信することを控える。その後、開始インデックス決定モジュール１２０８は、第２の探索空間中で第２の制御情報を送信するための第３の開始インデックスを決定する。開始インデックス決定モジュール１２０８は、第１の開始インデックスと同じ値を有する開始インデックスを使用することを回避することによって第３の開始インデックスを決定し得る。最後に、第１の開始インデックスと第３の開始インデックスとが同じ値でないとき、制御情報生成モジュール１２０６は、第３の開始インデックスにおいて第２の探索空間中で第２の制御情報を送信する。
【００９７】
[00114]  一態様では、制御情報生成モジュール１２０６は、第１の探索空間中で制御情報を（送信モジュール１２１６を介して）ＵＥ１２５０に送信する。制御情報は、第２の探索空間中の第２の制御情報のための開始インデックスと同じである開始インデックスにおいて第１の探索空間中で送信され得る。第１の探索空間はユーザ機器固有探索空間（ＵＥＳＳ）であり得、第２の探索空間は共通探索空間（ＣＳＳ）であり得る。代替的に、第１の探索空間はＣＳＳであり得、第２の探索空間はＵＥＳＳであり得る。
【００９８】
[00115]  情報処理モジュール１２１０は、送信された制御情報に対応するＵＥ１２５０からの情報を（受信モジュール１２０４を介して）受信する。情報処理モジュール１２１０は、ＵＥ１２５０が第１の探索空間に従って制御情報をパースすることに基づいて、受信した情報を復号する。情報処理モジュール１２１０はまた、ＵＥ１２５０が第２の探索空間に従って制御情報を間違ってパースすることに基づいて、受信した情報を復号する。最後に、ＵＥ１２５０が第２の探索空間に従って制御情報を間違ってパースしたことを装置１２０２が知ったとき、制御情報生成モジュール１２０６は、第１の探索空間中で制御情報を（送信モジュール１２１６を介して）ＵＥ１２５０に再送信し得る。
【００９９】
[00116]  さらなる態様では、アグリゲーションレベル決定モジュール１２１２は、第１の探索空間中の第１の制御情報のために使用される制御チャネル要素（ＣＣＥ）の数を有する第１のアグリゲーションレベルを決定する。その後、制御情報生成モジュール１２０６は、第１のアグリゲーションレベルよりも低い値を有する第２のアグリゲーションレベルを使用して、第２の探索空間中で第２の制御情報を送信する。第２の探索空間は、第１の探索空間内に閉じ込められ得る。その上、第１の探索空間中の第１の制御情報のための開始ＣＣＥは、第２の探索空間中の第２の制御情報のための開始ＣＣＥと同じである。第１の探索空間はユーザ機器固有探索空間（ＵＥＳＳ）であり得、第２の探索空間は共通探索空間（ＣＳＳ）であり得る。代替的に、第１の探索空間はＣＳＳであり得、第２の探索空間はＵＥＳＳであり得る。
【０１００】
[00117]  干渉生成モジュール１２１４は、第２の制御情報のために使用されない第１のアグリゲーションレベルの少なくとも１つのＣＣＥを決定する。したがって、干渉生成モジュール１２１４は、第１の探索空間中の第１の制御情報の復号を劣化させるために、少なくとも１つの未使用ＣＣＥ上で干渉を送信する。
【０１０１】
[00118]  別の態様では、開始インデックス決定モジュール１２０８は、第１の探索空間中の第１の制御メッセージ（たとえば、第１のＰＤＣＣＨメッセージ）のための第１の開始インデックス（たとえば、第１の開始ＣＣＥ）を決定する。開始インデックス決定モジュール１２０８はまた、第２の探索空間中の第２の制御メッセージ（たとえば、第２のＰＤＣＣＨメッセージ）のための第２の開始インデックス（たとえば、第２の開始ＣＣＥ）を決定する。一態様では、第１の探索空間が共通探索空間（ＣＳＳ）であり、第２の探索空間がユーザ機器固有探索空間（ＵＥＳＳ）である。代替的に、第１の探索空間はＵＥＳＳであり得、第２の探索空間はＣＳＳであり得る。
【０１０２】
[00119]  開始インデックス決定モジュール１２０８はさらに、第１の開始インデックスの値が第２の開始インデックスの値と同じであるかどうかを決定する。第１の開始インデックスと第２の開始インデックスとが同じ値でないとき、制御情報生成モジュール１２０６は、第２の開始インデックスにおいて第２の探索空間中で第２の制御情報を（送信モジュール１２１６を介して）送信する。
【０１０３】
[00120]  第１の開始インデックスと第２の開始インデックスとが同じ値を有するとき、制御情報生成モジュール１２０６は、第１の制御メッセージと第２の制御メッセージとの間で異なる少なくとも１つの情報フィールド（information field）を決定する。その後、制御情報生成モジュール１２０６は、第１の制御メッセージと第２の制御メッセージとの中の少なくとも１つの異なる情報フィールドのビットを０に設定する。最後に、制御情報生成モジュール１２０６は、第２の開始インデックスにおいて第２の探索空間中で第２の制御メッセージを送信する。
【０１０４】
[00121]  本装置は、図８〜図１１の上述のフローチャート中のアルゴリズムのステップの各々を実行する追加のモジュールを含み得る。したがって、図８〜図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０５】
[00122]  図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２、１２１４、１２１６と、コンピュータ可読媒体１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【０１０６】
[00123]  処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信した信号から情報を抽出し、抽出された情報を処理システム１３１４、特に受信モジュール１２０４に与える。さらに、トランシーバ１３１０は、処理システム１３１４、特に送信モジュール１２１６から情報を受信し、受信した情報に基づいて、１つまたは複数のアンテナ１３２０に適用されるべき信号を生成する。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体１３０６はまた、ソフトウェアを実行するときにプロセッサ１３０４によって操作されるデータを記憶するために使用され得る。処理システムは、モジュール１２０４、１２０６、１２０８、１２１０、１２１２、１２１４、および１２１６のうちの少なくとも１つをさらに含む。それらのモジュールは、プロセッサ１３０４中で動作し、コンピュータ可読媒体１３０６中に常駐する／記憶された、ソフトウェアモジュールであるか、プロセッサ１３０４に結合された１つまたは複数のハードウェアモジュールであるか、またはそれらの何らかの組合せであり得る。処理システム１３１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１０７】
[00124]  一構成では、ワイヤレス通信のための装置１２０２／１２０２’は、第１の探索空間中で第１の制御情報のための第１の開始インデックスを決定するための手段と、第２の探索空間中で第２の制御情報のための第２の開始インデックスを決定するための手段と、第１の開始インデックスと第２の開始インデックスとが同じ値でないとき、第２の開始インデックスにおいて第２の探索空間中で第２の制御情報を送信するための手段と、第１の開始インデックスの値と同じでない第２の開始インデックスの値をもたらす第２の開始インデックスを決定するための少なくとも１つの候補インデックスを選択するための手段と、第１の開始インデックスと第２の開始インデックスとが同じ値であるとき、第２の開始インデックスにおいて第２の探索空間中で第２の制御情報を送信することを控えるための手段と、第１の開始インデックスと同じ値を有する開始インデックスを使用することを回避することによって第２の探索空間中で第２の制御情報のための第３の開始インデックスを決定するための手段と、第１の開始インデックスと第３の開始インデックスとが同じ値でないとき、第３の開始インデックスにおいて第２の探索空間中で第２の制御情報を送信するための手段と、第１の探索空間中で制御情報をユーザ機器（ＵＥ）に送信するための手段と、送信された制御情報に対応するＵＥからの情報を受信するための手段と、ＵＥが第１の探索空間に従って制御情報をパースすることに基づいて、およびＵＥが第２の探索空間に従って制御情報を間違ってパースすることに基づいて、受信した情報を復号するための手段と、第１の探索空間中で制御情報をＵＥに再送信するための手段と、第１の探索空間中の第１の制御情報のために使用される制御チャネル要素（ＣＣＥ）の数を有する第１のアグリゲーションレベルを決定するための手段と、第１のアグリゲーションレベルよりも低い値を有する第２のアグリゲーションレベルを使用して、第２の探索空間中で第２の制御情報を送信するための手段と、ここにおいて、第２の探索空間が、第１の探索空間内に閉じ込められる、ここにおいて、第１の探索空間中の第１の制御情報のための開始ＣＣＥが、第２の探索空間中の第２の制御情報のための開始ＣＣＥと同じである、制御情報のために使用されない第１のアグリゲーションレベルの少なくとも１つのＣＣＥを決定するための手段と、第１の探索空間中の第１の制御情報の復号を劣化させるために、少なくとも１つの未使用ＣＣＥ上で干渉を送信するための手段と、第１の探索空間中の第１の制御メッセージのための第１の開始インデックスを決定するための手段と、第２の探索空間中の第２の制御メッセージのための第２の開始インデックスを決定するための手段と、第１の開始インデックスと第２の開始インデックスとが同じ値を有するとき、第１の制御メッセージと第２の制御メッセージとの間で異なる少なくとも１つの情報フィールドを決定するための手段と、第１の制御メッセージと第２の制御メッセージとの中の少なくとも１つの異なる情報フィールドのビットを０に設定するための手段と、第２の開始インデックスにおいて第２の探索空間中で第２の制御メッセージを送信するための手段とを含む。
【０１０８】
[00125]  上述の手段は、上述の手段によって具陳される機能を実行するように構成された、装置１２０２の上述のモジュールおよび／または装置１２０２’の処理システム１３１４のうちの１つまたは複数であり得る。上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【０１０９】
[00126]  図１４は、ワイヤレス通信の方法のフローチャート１４００である。本方法は基地局（たとえば、ｅＮＢ）によって実行され得る。ステップ１４０２において、基地局は、第１の探索空間中で送信するための第１の制御情報を生成する。ステップ１４０４において、基地局は、第１の制御情報をコーディングし、ここにおいて、第１の制御情報に適用されるコーディングは、第１の探索空間に固有であり、第２の探索空間中の第２の制御情報に適用されるコーディングとは異なる。第１の探索空間はユーザ機器固有探索空間（ＵＥＳＳ）であり得、第２の探索空間は共通探索空間（ＣＳＳ）であり得る。
【０１１０】
[00127]  第１の制御情報と第２の制御情報とが情報フィールドの同じセットを有するとき、コーディングは第１の制御情報に適用され得る。代替的に、第１の制御情報と第２の制御情報とが情報フィールドの異なるセットを有するとき、コーディングは第１の制御情報に適用され得る。
【０１１１】
[00128]  第１の制御情報にコーディングを適用することは、１）第１の制御情報にレートマッチングを適用すること、ここにおいて、第１の制御情報に適用されるレートマッチングは、第１の探索空間に固有であり、第２の探索空間中の第２の制御情報に適用されるレートマッチングとは異なる、２）第１の制御情報をインターリーブすること、ここにおいて、第１の制御情報に適用されるインターリーブは、第１の探索空間に固有であり、第２の探索空間中の第２の制御情報に適用されるインターリーブとは異なる、または３）第１の制御情報をスクランブルすること、ここにおいて、第１の制御情報に適用されるスクランブルは、第１の探索空間に固有であり、第２の探索空間中の第２の制御情報に適用されるスクランブルとは異なる、のうちの少なくとも１つを含み得る。第１の制御情報をスクランブルすることは、第１の制御情報を搬送する第１のメッセージの巡回冗長検査（ＣＲＣ）をスクランブルすること、ここにおいて、第１のメッセージのＣＲＣに適用されるスクランブルは、第１の探索空間に固有であり、第２の探索空間中の第２のメッセージのＣＲＣに適用されるスクランブルとは異なる、を含み得る。たとえば、スクランブルは、スクランブリングシーケンスを使用してＣＲＣビットにビット毎の排他的論理和（ＸＯＲ）演算を適用することによって実行され得る。スクランブリングシーケンスは、第１の探索空間に固有であり、第２の探索空間に固有のスクランブリングシーケンスとは異なり得る。スクランブリングシーケンスは擬似ランダムシーケンスであり得る。たとえば、スクランブリングシーケンスは、ゴールドシーケンス生成器を使用して生成され得、ここで、第１の探索空間のためのゴールドシーケンス生成器初期化は、第２の探索空間のためのゴールドシーケンス生成器初期化とは異なる。
【０１１２】
[00129]  ステップ１４０６において、基地局は、第１の探索空間に固有の第１の制御情報に適用されるコーディングをユーザ機器（ＵＥ）に通知する。ステップ１４０８において、基地局は、コーディングされた第１の制御情報を第１の探索空間中で送信する。
【０１１３】
[00130]  図１５は、ワイヤレス通信の方法のフローチャート１５００である。本方法は基地局（たとえば、ｅＮＢ）によって実行され得る。ステップ１５０２において、基地局は、第１の探索空間中で送信するための制御情報を生成する。ステップ１５０４において、基地局は、第１の探索空間のための生成された制御情報を含む第１のペイロードのサイズを決定する。
【０１１４】
[00131]  ステップ１５０６において、基地局は、第１のペイロードのサイズを、第２の探索空間のための第２のペイロードとは異なるように調整する。第１の探索空間はユーザ機器固有探索空間（ＵＥＳＳ）であり得、第２の探索空間は共通探索空間（ＣＳＳ）であり得る。第１のペイロードのサイズを調整することは、第１のペイロードのサイズが第２のペイロードのサイズとは異なることを確実にするために、第１のペイロードにパディングビットを追加することを含み得る。また、第１のペイロードと第２のペイロードとが情報フィールドの同じセットを有するとき、第１のペイロードのサイズは調整され得る。代替的に、第１のペイロードと第２のペイロードとが情報フィールドの異なるセットを有するとき、第１のペイロードのサイズは調整される。
【０１１５】
[00132]  ステップ１５０８において、基地局は、調整されたサイズを有する第１のペイロードを第１の探索空間中で送信する。
【０１１６】
[00133]  図１６は、ワイヤレス通信の方法のフローチャート１６００である。本方法は基地局（たとえば、ｅＮＢ）によって実行され得る。ステップ１６０２において、基地局は、第１の探索空間中の第１の制御情報を生成する。ステップ１６０４において、サブフレームの第１のサブセットについて、基地局は、第１の探索空間中の第１の制御情報に第１の優先度を割り当てる。第１の優先度は、第２の探索空間中の第２の制御情報に割り当てられた第２の優先度よりも高い。基地局はまた、割り当てられた第１の優先度をもつ第１の制御情報を第１の探索空間中で送信する。サブフレームの第１のサブセットは、ユーザ機器（ＵＥ）がそこで再構成情報（reconfiguration information）を受信し得るサブフレームを含み得る。たとえば、サブフレームの第１のサブセットは、周波数分割複信（ＦＤＤ）システムのためのサブフレーム０、４、５、および９、ならびに時分割複信（ＴＤＤ）システムのためのサブフレーム０、１、５、および６を含む。
【０１１７】
[00134]  ステップ１６０６において、サブフレームの第２のサブセットについて、基地局は、第１の探索空間中の第１の制御情報に第３の優先度を割り当てる。第３の優先度は、第２の探索空間中の第２の制御情報に割り当てられた第４の優先度よりも低い。基地局はまた、割り当てられた第３の優先度をもつ第１の制御情報を第１の探索空間中で送信する。第１の探索空間は共通探索空間（ＣＳＳ）であり得、第２の探索空間はユーザ機器固有探索空間（ＵＥＳＳ）であり得る。サブフレームの第２のサブセットは、ユーザ機器（ＵＥ）がそこで再構成情報を受信しないことがあるサブフレームを含み得る。
【０１１８】
[00135]  図１７は、例示的な装置１７０２中の異なるモジュール／手段／構成要素間のデータフローを示す概念データフロー図１７００である。本装置は基地局（たとえば、ｅＮＢ）であり得る。本装置は、受信モジュール１７０４と、制御情報生成モジュール１７０６と、コーディングモジュール１７０８と、ペイロード処理モジュール１７１０と、優先度割当てモジュール１７１２と、送信モジュール１７１４とを含む。
【０１１９】
[00136]  制御情報生成モジュール１７０６は、第１の探索空間中で送信するための第１の制御情報を生成する。コーディングモジュール１７０８は第１の制御情報をコーディングする。第１の制御情報に適用されるコーディングは、第１の探索空間に固有であり、第２の探索空間中の第２の制御情報に適用されるコーディングとは異なり得る。第１の探索空間はユーザ機器固有探索空間（ＵＥＳＳ）であり得、第２の探索空間は共通探索空間（ＣＳＳ）であり得る。
【０１２０】
[00137]  コーディングモジュール１７０８は、第１の制御情報と第２の制御情報とが情報フィールドの同じセットを有するとき、コーディングを第１の制御情報に適用し得る。代替的に、コーディングモジュール１７０８は、第１の制御情報と第２の制御情報とが情報フィールドの異なるセットを有するとき、コーディングを第１の制御情報に適用し得る。
【０１２１】
[00138]  第１の制御情報にコーディングを適用することは、１）第１の制御情報にレートマッチングを適用すること、ここにおいて、第１の制御情報に適用されるレートマッチングは、第１の探索空間に固有であり、第２の探索空間中の第２の制御情報に適用されるレートマッチングとは異なる、２）第１の制御情報をインターリーブすること、ここにおいて、第１の制御情報に適用されるインターリーブは、第１の探索空間に固有であり、第２の探索空間中の第２の制御情報に適用されるインターリーブとは異なる、または３）第１の制御情報をスクランブルすること、ここにおいて、第１の制御情報に適用されるスクランブルは、第１の探索空間に固有であり、第２の探索空間中の第２の制御情報に適用されるスクランブルとは異なる、のうちの少なくとも１つを含み得る。第１の制御情報をスクランブルすることは、第１の制御情報を搬送する第１のメッセージの巡回冗長検査（ＣＲＣ）をスクランブルすること、ここにおいて、第１のメッセージのＣＲＣに適用されるスクランブルは、第１の探索空間に固有であり、第２の探索空間中の第２のメッセージのＣＲＣに適用されるスクランブルとは異なる、を含み得る。たとえば、スクランブルは、スクランブリングシーケンスを使用してＣＲＣビットにビット毎の排他的論理和（ＸＯＲ）演算を適用することによって実行され得る。スクランブリングシーケンスは、第１の探索空間に固有であり、第２の探索空間に固有のスクランブリングシーケンスとは異なり得る。スクランブリングシーケンスは擬似ランダムシーケンスであり得る。たとえば、スクランブリングシーケンスは、ゴールドシーケンス（Gold sequence）生成器を使用して生成され得、ここで、第１の探索空間のためのゴールドシーケンス生成器初期化は、第２の探索空間のためのゴールドシーケンス生成器初期化とは異なる。
【０１２２】
[00139]  コーディングモジュール１７０８は、第１の探索空間に固有の第１の制御情報に適用されるコーディングを（送信モジュール１７１４を介して）ユーザ機器（ＵＥ）１７５０に通知し得る。制御情報生成モジュール１７０６および／またはコーディングモジュール１７０８は、コーディングされた第１の制御情報を第１の探索空間中で（送信モジュール１７１４を介して）送信し得る。
【０１２３】
[00140]  一態様では、ペイロード処理モジュール１７１０は、第１の探索空間のための生成された制御情報を含む第１のペイロードのサイズを決定し得る。ペイロード処理モジュール１７１０はまた、第１のペイロードのサイズを、第２の探索空間のための第２のペイロードとは異なるように調整し得る。第１の探索空間はユーザ機器固有探索空間（ＵＥＳＳ）であり得、第２の探索空間は共通探索空間（ＣＳＳ）であり得る。第１のペイロードのサイズを調整することは、第１のペイロードにパディングビット（padding bit）を追加することを含み得る。第１のペイロードと第２のペイロードとが情報フィールドの同じセットを有するとき、第１のペイロードのサイズは調整され得る。代替的に、第１のペイロードと第２のペイロードとが情報フィールドの異なるセットを有するとき、第１のペイロードのサイズは調整され得る。ペイロード処理モジュール１７１０は、調整されたサイズを有する第１のペイロードを第１の探索空間中で（送信モジュール１７１４を介して）送信し得る。
【０１２４】
[00141]  別の態様では、サブフレームの第１のサブセットについて、優先度割当てモジュール１７１２は、第１の探索空間中の第１の制御情報に第１の優先度を割り当てる。第１の優先度は、第２の探索空間中の第２の制御情報に割り当てられた第２の優先度よりも高くなり得る。制御情報生成モジュール１７０６は、割り当てられた第１の優先度をもつ第１の制御情報を第１の探索空間中で（送信モジュール１７１４を介して）送信する。サブフレームの第１のサブセットは、ＵＥ１７５０がそこで再構成情報を受信し得るサブフレームを含み得る。たとえば、サブフレームの第１のサブセットは、周波数分割複信（ＦＤＤ）システムのためのサブフレーム０、４、５、および９、ならびに時分割複信（ＴＤＤ）システムのためのサブフレーム０、１、５、および６を含む。
【０１２５】
[00142]  サブフレームの第２のサブセットについて、優先度割当てモジュール１７１２は、第１の探索空間中の第１の制御情報に第３の優先度を割り当てる。第３の優先度は、第２の探索空間中の第２の制御情報に割り当てられた第４の優先度よりも低くなり得る。制御情報生成モジュール１７０６はまた、割り当てられた第３の優先度をもつ第１の制御情報を第１の探索空間中で（送信モジュール１７１４を介して）送信する。第１の探索空間は共通探索空間（ＣＳＳ）であり得、第２の探索空間はユーザ機器固有探索空間（ＵＥＳＳ）であり得る。サブフレームの第２のサブセットは、ＵＥ１７５０がそこで再構成情報を受信しないことがあるサブフレームを含み得る。
【０１２６】
[00143]  本装置は、図１４〜図１６の上述のフローチャート中のアルゴリズムのステップの各々を実行する追加のモジュールを含み得る。したがって、図１４〜図１６の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２７】
[00144]  図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４、モジュール１７０４、１７０６、１７０８、１７１０、１７１２、１７１４、およびコンピュータ可読媒体１８０６によって表される１つまたは複数のプロセッサおよび／またはハードウェアモジュールを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０１２８】
[00145]  処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信した信号から情報を抽出し、抽出された情報を処理システム１８１４、特に受信モジュール１７０４に与える。さらに、トランシーバ１８１０は、処理システム１８１４、特に送信モジュール１７１４から情報を受信し、受信した情報に基づいて、１つまたは複数のアンテナ１８２０に適用されるべき信号を生成する。処理システム１８１４は、コンピュータ可読媒体１８０６に結合されたプロセッサ１８０４を含む。プロセッサ１８０４は、コンピュータ可読媒体１８０６に記憶されたソフトウェアの実行を含む一般的な処理を担当する。ソフトウェアは、プロセッサ１８０４によって実行されたとき、処理システム１８１４に、特定の装置のための上記で説明された様々な機能を実行させる。コンピュータ可読媒体１８０６はまた、ソフトウェアを実行するときにプロセッサ１８０４によって操作されるデータを記憶するために使用され得る。処理システムは、モジュール１７０４、１７０６、１７０８、１７１０、１７１２、および１７１４のうちの少なくとも１つをさらに含む。それらのモジュールは、プロセッサ１８０４中で動作し、コンピュータ可読媒体１８０６中に常駐する／記憶された、ソフトウェアモジュールであるか、プロセッサ１８０４に結合された１つまたは複数のハードウェアモジュールであるか、またはそれらの何らかの組合せであり得る。処理システム１８１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【０１２９】
[00146]  一構成では、ワイヤレス通信のための装置１７０２／１７０２’は、第１の探索空間中で送信するための第１の制御情報を生成するための手段と、第１の制御情報をコーディングするための手段と、ここにおいて、第１の制御情報に適用されるコーディングは、第１の探索空間に固有であり、第２の探索空間中の第２の制御情報に適用されるコーディングとは異なる、コーディングされた第１の制御情報を第１の探索空間中で送信するための手段と、第１の探索空間に固有の第１の制御情報に適用されるコーディングをユーザ機器（ＵＥ）に通知するための手段と、第１の探索空間中で送信するための制御情報を生成するための手段と、第１の探索空間中で送信されるべき生成された制御情報を含む第１のペイロードのサイズを決定するための手段と、第１のペイロードのサイズを、第２の探索空間中で送信される第２のペイロードとは異なるように調整するための手段と、調整されたサイズを有する第１のペイロードを第１の探索空間中で送信するための手段と、第１の探索空間中で送信されるべき第１のペイロードの調整されたサイズをユーザ機器（ＵＥ）に通知するための手段と、第１の探索空間中で送信するための第１の制御情報を生成するための手段と、第１の探索空間中で送信されるべき第１の制御情報に第１の優先度を割り当てるための手段と、第１の優先度は、第２の探索空間中で送信される第２の制御情報に割り当てられた第２の優先度よりも高い、割り当てられた第１の優先度をもつ第１の制御情報を第１の探索空間中で送信するための手段と、サブフレームの第２のサブセットについて、第１の探索空間中で送信されるべき第１の制御情報に第３の優先度を割り当てるための手段と、第３の優先度は、第２の探索空間中で送信される第２の制御情報に割り当てられた第４の優先度よりも低い、割り当てられた第３の優先度をもつ第１の制御情報を第１の探索空間中で送信するための手段とを含む。
【０１３０】
[00147]  上述の手段は、上述の手段によって具陳される機能を実行するように構成された、装置１７０２の上述のモジュールおよび／または装置１７０２’の処理システム１８１４のうちの１つまたは複数であり得る。上記で説明したように、処理システム１８１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【０１３１】
[00148]  図１９は、ワイヤレス通信の方法のフローチャート１９００である。本方法は装置によって実行され得る。ステップ１９０２において、本装置は、第１の探索空間中の第１の復号候補（たとえば、第１のＰＤＣＣＨ候補）と、第２の探索空間中の第２の復号候補（たとえば、第２のＰＤＣＣＨ候補）とを決定する。第１の復号候補と第２の復号候補とは、同じサイズを有するが、情報フィールドの異なる定義を有し得る。第１の探索空間は共通探索空間（ＣＳＳ）であり得、第２の探索空間はユーザ機器固有探索空間（ＵＥＳＳ）であり得る。その上、第１の復号候補と第２の復号候補とは同じ開始制御チャネル要素（ＣＣＥ）を有し得る。
【０１３２】
[00149]  ステップ１９０４において、本装置は、情報フィールドの差異を識別する。ステップ１９０６において、本装置は、識別された差異に基づいて第１の復号候補および第２の復号候補のうちの１つを有効な候補として決定する。
【０１３３】
[00150]  一態様では、情報フィールドの差異は、ダウンリンク制御情報（ＤＣＩ：downlink control information）メッセージの始めにおいて認識され得る。したがって、本装置は、差異がＤＣＩメッセージの始めに生じたとき、第１の復号候補が有効な候補であると決定し得る。ＤＣＩメッセージ中の別個の情報フィールドはクロスキャリアインジケータフィールド（ＣＩＦ：cross-carrier indicator field）であり得る。
【０１３４】
[00151]  別の態様では、情報フィールドの差異は、ＤＣＩメッセージの終わりに向けて認識され得る。したがって、本装置は、差異がＤＣＩメッセージの終わりに向けて生じたとき、第２の復号候補が有効な候補であると決定し得る。ＤＣＩメッセージ中の別個の情報フィールドは、チャネル状態情報（ＣＳＩ：channel state information）要求フィールドまたはサウンディング基準信号（ＳＲＳ：sounding reference signal）要求フィールドのうちの少なくとも１つを含み得る。
【０１３５】
[00152]  図２０は、例示的な装置２００２中の異なるモジュール／手段／構成要素間のデータフローを示す概念データフロー図２０００である。本装置は、受信モジュール２００４と、候補処理モジュール１２０６と、差異識別モジュール（difference identifying module）２００８と、有効性モジュール（validity module）２０１０と、送信モジュール１２１２とを含む。
【０１３６】
[00153]  候補処理モジュール２００６は、受信モジュール２００４を介して基地局２０５０から情報を受信し得る。候補処理モジュール２００６は、第１の探索空間中の第１の復号候補（たとえば、第１のＰＤＣＣＨ候補）と、第２の探索空間中の第２の復号候補（たとえば、第２のＰＤＣＣＨ候補）とを決定する。第１の復号候補と第２の復号候補とは、同じサイズを有するが、情報フィールドの異なる定義を有し得る。第１の探索空間は共通探索空間（ＣＳＳ）であり得、第２の探索空間はユーザ機器固有探索空間（ＵＥＳＳ）であり得る。その上、第１の復号候補と第２の復号候補とは同じ開始制御チャネル要素（ＣＣＥ）を有し得る。
【０１３７】
[00154]  差異識別モジュール２００８は、情報フィールドの差異を識別する。有効性モジュール２０１０は、識別された差異に基づいて第１の復号候補および第２の復号候補のうちの１つを有効な候補として決定する。
【０１３８】
[00155]  一態様では、差異識別モジュール２００８は、ダウンリンク制御情報（ＤＣＩ）メッセージの始めにおいて情報フィールドの差異を認識する。したがって、有効性モジュール２０１０は、差異がＤＣＩメッセージの始めに生じたとき、第１の復号候補が有効な候補であると決定し得る。ＤＣＩメッセージ中の別個の情報フィールドはクロスキャリアインジケータフィールド（ＣＩＦ）であり得る。
【０１３９】
[00156]  別の態様では、差異識別モジュール２００８は、ＤＣＩメッセージの終わりに向けて情報フィールドの差異を認識する。したがって、有効性モジュール２０１０は、差異がＤＣＩメッセージの終わりに向けて生じたとき、第２の復号候補が有効な候補であると決定し得る。ＤＣＩメッセージ中の別個の情報フィールドは、チャネル状態情報（ＣＳＩ）要求フィールドまたはサウンディング基準信号（ＳＲＳ）要求フィールドのうちの少なくとも１つを含み得る。
【０１４０】
[00157]  本装置は、図１９の上述のフローチャート中のアルゴリズムのステップの各々を実行する追加のモジュールを含み得る。したがって、図１９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４１】
[00158]  図２１は、処理システム２１１４を採用する装置２００２’のためのハードウェア実装形態の一例を示す図２１００である。処理システム２１１４は、バス２１２４によって概略的に表されるバスアーキテクチャを用いて実装され得る。バス２１２４は、処理システム２１１４の特定の適用例および全体的な設計制約に応じて、任意の数の相互接続バスおよびブリッジを含み得る。バス２１２４は、プロセッサ２１０４によって表される１つまたは複数のプロセッサおよび／またはハードウェアモジュールと、モジュール２００４、２００６、２００８、２０１０、２０１２と、コンピュータ可読媒体２１０６とを含む様々な回路を互いにリンクする。バス２１２４はまた、タイミングソース、周辺機器、電圧調整器、および電力管理回路など、様々な他の回路をリンクし得るが、これらの回路は当技術分野においてよく知られており、したがって、これ以上説明しない。
【０１４２】
[00159]  処理システム２１１４はトランシーバ２１１０に結合され得る。トランシーバ２１１０は１つまたは複数のアンテナ２１２０に結合される。トランシーバ２１１０は、伝送媒体を介して様々な他の装置と通信するための手段を与える。トランシーバ２１１０は、１つまたは複数のアンテナ２１２０から信号を受信し、受信した信号から情報を抽出し、抽出された情報を処理システム２１１４、特に受信モジュール２００４に与える。さらに、トランシーバ２１１０は、処理システム２１１４、特に送信モジュール２０１２から情報を受信し、受信した情報に基づいて、１つまたは複数のアンテナ２１２０に適用されるべき信号を生成する。処理システム２１１４は、コンピュータ可読媒体２１０６に結合されたプロセッサ２１０４を含む。プロセッサ２１０４は、コンピュータ可読媒体２１０６に記憶されたソフトウェアの実行を含む一般的な処理を担当する。ソフトウェアは、プロセッサ２１０４によって実行されたとき、処理システム２１１４に、特定の装置のための上記で説明された様々な機能を実行させる。コンピュータ可読媒体２１０６はまた、ソフトウェアを実行するときにプロセッサ２１０４によって操作されるデータを記憶するために使用され得る。処理システムは、モジュール２００４、２００６、２００８、２０１０、および２０１２のうちの少なくとも１つをさらに含む。それらのモジュールは、プロセッサ２１０４中で動作し、コンピュータ可読媒体２１０６中に常駐する／記憶された、ソフトウェアモジュールであるか、プロセッサ２１０４に結合された１つまたは複数のハードウェアモジュールであるか、またはそれらの何らかの組合せであり得る。処理システム２１１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。処理システム２１１４はまた、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１４３】
[00160]  一構成では、ワイヤレス通信のための装置２００２／２００２’は、第１の探索空間中の第１の復号候補と、第２の探索空間中の第２の復号候補とを決定するための手段と、ここで、第１の復号候補と第２の復号候補とは、同じサイズを有するが、情報フィールドの異なる定義を有する、情報フィールドの差異を識別するための手段と、識別された差異に基づいて第１の復号候補および第２の復号候補のうちの１つを有効な候補として決定するための手段と、第１の復号候補を有効な候補として決定するための手段と、第２の復号候補を有効な候補として決定するための手段とを含む。
【０１４４】
[00161]  上述の手段は、上述の手段によって具陳される機能を実行するように構成された、装置２００２の上述のモジュールおよび／または装置２００２’の処理システム２１１４のうちの１つまたは複数であり得る。上記で説明したように、処理システム２１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。処理システム２１１４はまた、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１４５】
[00162]  開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【０１４６】
[00163]  以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られている、または後で知られることになる、本開示全体にわたって説明された様々な態様の要素のすべての構造的および機能的均等物は、参照により本明細書に明確に組み込まれ、特許請求の範囲によって包含されるものとする。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
[Ｃ１]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を備える、ワイヤレス通信の方法。
[Ｃ２]
前記第１の開始インデックスが、少なくとも、前記第１の制御情報を送信するために使用される前記第１の探索空間に対応する候補インデックスとアグリゲーションレベルとに基づいて決定される、Ｃ１に記載の方法。
[Ｃ３]
前記第２の開始インデックスが、少なくとも、前記第２の制御情報を送信するための前記第２の探索空間に対応する候補インデックスとアグリゲーションレベルとに基づいて決定される、Ｃ１に記載の方法。
[Ｃ４]
前記第１の開始インデックスの値と同じでない前記第２の開始インデックスの値をもたらす前記第２の開始インデックスを決定するための少なくとも１つの候補インデックスを選択することをさらに備える、Ｃ３に記載の方法。
[Ｃ５]
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
をさらに備える、Ｃ１に記載の方法。
[Ｃ６]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を備える、ワイヤレス通信の方法。
[Ｃ７]
前記制御情報が、前記第２の探索空間中で第２の制御情報を送信するための開始インデックスと同じである開始インデックスにおいて前記第１の探索空間中で送信される、Ｃ６に記載の方法。
[Ｃ８]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中で前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を備える、ワイヤレス通信の方法。
[Ｃ９]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を備える、ワイヤレス通信の方法。
[Ｃ１０]
前記第１の探索空間が共通探索空間（ＣＳＳ）であり、前記第２の探索空間がユーザ機器固有探索空間（ＵＥＳＳ）である、Ｃ９に記載の方法。
[Ｃ１１]
前記第１の探索空間がユーザ機器固有探索空間（ＵＥＳＳ）であり、前記第２の探索空間が共通探索空間（ＣＳＳ）である、Ｃ９に記載の方法。
[Ｃ１２]
前記第２の開始インデックスにおいて前記第２の探索空間中で前記第２の制御メッセージを送信することをさらに備える、Ｃ９に記載の方法。
[Ｃ１３]
第１の探索空間中で第１の制御情報を送信するための第１の開始インデックスを決定するための手段と、
第２の探索空間中で第２の制御情報を送信するための第２の開始インデックスを決定するための手段と、
前記第１の開始インデックスと前記第２の開始インデックスとが同じ値でないとき、前記第２の開始インデックスにおいて前記第２の探索空間中で前記第２の制御情報を送信するための手段と
を備える、ワイヤレス通信のための装置。
[Ｃ１４]
前記第１の開始インデックスと前記第２の開始インデックスとが同じ値であるとき、前記第２の開始インデックスにおいて前記第２の探索空間中で前記第２の制御情報を送信することを控えるための手段と、
前記第１の開始インデックスと同じ値を有する開始インデックスを使用することを回避することによって、前記第２の探索空間中で前記第２の制御情報を送信するための第３の開始インデックスを決定するための手段と、
前記第１の開始インデックスと前記第３の開始インデックスとが同じ値でないとき、前記第３の開始インデックスにおいて前記第２の探索空間中で前記第２の制御情報を送信するための手段と
をさらに備える、Ｃ１３に記載の装置。
[Ｃ１５]
第１の探索空間中で制御情報をユーザ機器（ＵＥ）に送信するための手段と、
前記送信された制御情報に対応する前記ＵＥからの情報を受信するための手段と、
前記ＵＥが前記第１の探索空間に従って前記制御情報をパースすることに基づいて、および前記ＵＥが第２の探索空間に従って前記制御情報を間違ってパースすることに基づいて、前記受信した情報を復号するための手段と
を備える、ワイヤレス通信のための装置。
[Ｃ１６]
前記制御情報が、前記第２の探索空間中で第２の制御情報を送信するための開始インデックスと同じである開始インデックスにおいて前記第１の探索空間中で送信される、Ｃ１５に記載の装置。
[Ｃ１７]
第１の探索空間中の第１の制御情報のために使用されるいくつかの制御チャネル要素（ＣＣＥ）を有する第１のアグリゲーションレベルを決定するための手段と、
前記第１のアグリゲーションレベルよりも低い値を有する第２のアグリゲーションレベルを使用して、第２の探索空間中で第２の制御情報を送信するための手段と、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定するための手段と、
前記第１の探索空間中の前記第１の制御情報の復号を劣化させるために、前記少なくとも１つの未使用ＣＣＥ上で干渉を送信するための手段と
を備える、ワイヤレス通信のための装置。
[Ｃ１８]
第１の探索空間中で第１の制御メッセージを送信するための第１の開始インデックスを決定するための手段と、
第２の探索空間中で第２の制御メッセージを送信するための第２の開始インデックスを決定するための手段と、
前記第１の開始インデックスと前記第２の開始インデックスとが同じ値を有するとき、
前記第１の制御メッセージと前記第２の制御メッセージとの間で異なる少なくとも１つの情報フィールドを決定するための手段と、
前記第１の制御メッセージおよび前記第２の制御メッセージ中の前記少なくとも１つの異なる情報フィールドのビットを０に設定するための手段と
を備える、ワイヤレス通信のための装置。
[Ｃ１９]
前記第２の開始インデックスにおいて前記第２の探索空間中で前記第２の制御メッセージを送信するための手段をさらに備える、Ｃ１８に記載の装置。
[Ｃ２０]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を行うように構成された処理システム
を備える、ワイヤレス通信のための装置。
[Ｃ２１]
前記処理システムが、
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
を行うようにさらに構成された、Ｃ２０に記載の装置。
[Ｃ２２]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を行うように構成された処理システム
を備える、ワイヤレス通信のための装置。
[Ｃ２３]
前記制御情報が、前記第２の探索空間中で第２の制御情報を送信するための開始インデックスと同じである開始インデックスにおいて前記第１の探索空間中で送信される、Ｃ２２に記載の装置。
[Ｃ２４]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を行うように構成された処理システム
を備える、ワイヤレス通信のための装置。
[Ｃ２５]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を行うように構成された処理システム
を備える、ワイヤレス通信のための装置。
[Ｃ２６]
前記処理システムが、前記第２の開始インデックスにおいて前記第２の探索空間中で前記第２の制御メッセージを送信するようにさらに構成された、Ｃ２５に記載の装置。
[Ｃ２７]
第１の探索空間中で第１の制御情報を送信するための第１の開始インデックスを決定することと、
第２の探索空間中で第２の制御情報を送信するための第２の開始インデックスを決定することと、
前記第１の開始インデックスと前記第２の開始インデックスとが同じ値でないとき、前記第２の開始インデックスにおいて前記第２の探索空間中で前記第２の制御情報を送信することと
を行うためのコードを備えるコンピュータ可読媒体
を備える、コンピュータプログラム製品。
[Ｃ２８]
前記コンピュータ可読媒体が、
前記第１の開始インデックスと前記第２の開始インデックスとが同じ値であるとき、前記第２の開始インデックスにおいて前記第２の探索空間中で前記第２の制御情報を送信することを控えることと、
前記第１の開始インデックスと同じ値を有する開始インデックスを使用することを回避することによって、前記第２の探索空間中で前記第２の制御情報を送信するための第３の開始インデックスを決定することと、
前記第１の開始インデックスと前記第３の開始インデックスとが同じ値でないとき、前記第３の開始インデックスにおいて前記第２の探索空間中で前記第２の制御情報を送信することと
を行うためのコードをさらに備える、Ｃ２７に記載のコンピュータプログラム製品。
[Ｃ２９]
第１の探索空間中で制御情報をユーザ機器（ＵＥ）に送信することと、
前記送信された制御情報に対応する前記ＵＥからの情報を受信することと、
前記ＵＥが前記第１の探索空間に従って前記制御情報をパースすることに基づいて、および前記ＵＥが第２の探索空間に従って前記制御情報を間違ってパースすることに基づいて、前記受信した情報を復号することと
を行うためのコードを備えるコンピュータ可読媒体
を備える、コンピュータプログラム製品。
[Ｃ３０]
第１の探索空間中の第１の制御情報のために使用されるいくつかの制御チャネル要素（ＣＣＥ）を有する第１のアグリゲーションレベルを決定することと、
前記第１のアグリゲーションレベルよりも低い値を有する第２のアグリゲーションレベルを使用して、第２の探索空間中で第２の制御情報を送信することと、ここにおいて、前記第２の探索空間が、前記第１の探索空間内に閉じ込められる、ここにおいて、前記第１の探索空間中の前記第１の制御情報を送信するための開始ＣＣＥが、前記第２の探索空間中の前記第２の制御情報を送信するための開始ＣＣＥと同じである、
前記第１の制御情報を送信するために使用されない前記第１のアグリゲーションレベルの少なくとも１つのＣＣＥを決定することと、
前記第１の探索空間中の前記第１の制御情報の復号を劣化させるために、前記少なくとも１つの未使用ＣＣＥ上で干渉を送信することと
を行うためのコードを備えるコンピュータ可読媒体
を備える、コンピュータプログラム製品。
[Ｃ３１]
第１の探索空間中で第１の制御メッセージを送信するための第１の開始インデックスを決定することと、
第２の探索空間中で第２の制御メッセージを送信するための第２の開始インデックスを決定することと、
前記第１の開始インデックスと前記第２の開始インデックスとが同じ値を有するとき、
前記第１の制御メッセージと前記第２の制御メッセージとの間で異なる少なくとも１つの情報フィールドを決定することと、
前記第１の制御メッセージおよび前記第２の制御メッセージ中の前記少なくとも１つの異なる情報フィールドのビットを０に設定することと
を行うためのコードを備えるコンピュータ可読媒体
を備える、コンピュータプログラム製品。
[Ｃ３２]
前記コンピュータ可読媒体が、前記第２の開始インデックスにおいて前記第２の探索空間中で前記第２の制御メッセージを送信するためのコードをさらに備える、Ｃ３１に記載のコンピュータプログラム製品。
【図１】
0006049907.tif 000006
【図２】
0006049907.tif 000007
【図３】
0006049907.tif 000008
【図４】
0006049907.tif 000009
【図５】
0006049907.tif 000010
【図６】
0006049907.tif 000011
【図７Ａ】
0006049907.tif 000012
【図７Ｂ】
0006049907.tif 000013
【図８】
0006049907.tif 000014
【図９】
0006049907.tif 000015
【図１０】
0006049907.tif 000016
【図１１】
0006049907.tif 000017
【図１２】
0006049907.tif 000018
【図１３】
0006049907.tif 000019
【図１４】
0006049907.tif 000020
【図１５】
0006049907.tif 000021
【図１６】
0006049907.tif 000022
【図１７】
0006049907.tif 000023
【図１８】
0006049907.tif 000024
【図１９】
0006049907.tif 000025
【図２０】
0006049907.tif 000026
【図２１】
0006049907.tif 000027